(57)【要約】【課題】設定内容を容易に変更可能な生体情報計測装置およびその制御方法を提供する。【解決手段】  生体情報計測装置は、設定内容を、設定ファイルとしてユーザに関連付けて保存する機能を有する。設定ファイルを呼び出す指示があった場合には、指示を行ったユーザをユーザ認証の結果に基づいて特定する。そして、保存された設定ファイルのうち、特定したユーザに関連付けて保存された設定ファイルのいずれかを選択するための画面を表示手段に表示させる。【選択図】図６
2017170009.tif 000002
【特許請求の範囲】
【請求項１】
患者の生体情報を計測する生体情報計測装置であって、
前記生体情報計測装置の設定内容を、設定ファイルとしてユーザに関連付けて保存する記憶手段と、
設定ファイルを呼び出す指示があった場合、前記指示を行ったユーザをユーザ認証の結果に基づいて特定し、前記記憶手段に保存された前記設定ファイルのうち、前記特定したユーザに関連付けて保存された設定ファイルのいずれかを選択するための画面を表示手段に表示させる制御手段と、
を有することを特徴とする生体情報計測装置。
【請求項２】
前記制御手段は、前記画面から選択された設定ファイルの設定内容を前記生体情報計測装置に反映させる際、予め定められた項目の設定が変更される場合には、再度ユーザ認証を要求することを特徴とする請求項１記載の生体情報計測装置。
【請求項３】
前記ユーザ認証に用いるユーザ固有情報の入力手段をさらに有し、
前記ユーザ固有情報が、ユーザ固有の生体情報、ユーザに関連付けて登録されたジェスチャもしくは特定の入力パターンのいずれかであることを特徴とする請求項１または請求項２に記載の生体情報計測装置。
【請求項４】
患者の生体情報を計測する生体情報計測装置であって、
ユーザ認証に用いるユーザ固有情報の入力手段と、
前記ユーザ認証の結果に基づいてユーザの権限を確認し、前記ユーザが有する権限に応じた処理を実行するように前記生体情報計測装置を制御する制御手段と、を有し、
前記ユーザ固有情報が、ユーザ固有の生体情報、ユーザに関連付けて登録されたジェスチャもしくは特定の入力パターンのいずれかであることを特徴とする生体情報計測装置。
【請求項５】
前記制御手段は、前記ユーザが有する権限に応じて前記生体情報計測装置における画面表示を異ならせることを特徴とする請求項４に記載の生体情報計測装置。
【請求項６】
前記制御手段は、前記生体情報計測装置の機能のうち、予め定められた機能の実行が指示された場合、前記指示を行ったユーザが所定の権限を有する場合にのみ前記機能を実行するように前記生体情報計測装置を制御することを特徴とする請求項４または請求項５に記載の生体情報計測装置。
【請求項７】
前記ユーザ認証の方法が、１回目と２回目以降とで異なることを特徴とする請求項１から請求項６のいずれか１項に記載の生体情報計測装置。
【請求項８】
２回目以降の前記ユーザ認証では、１回目の前記ユーザ認証よりも前記ユーザ認証に用いるユーザ固有情報の入力項目の数が少ないことを特徴とする請求項７に記載の生体情報計測装置。
【請求項９】
患者の生体情報を計測する生体情報計測装置の制御方法であって、
設定ファイルとしてユーザに関連付けて保存された前記生体情報計測装置の設定内容を呼び出す指示があった場合、前記指示を行ったユーザをユーザ認証の結果に基づいて特定する工程と、
前記保存された前記設定ファイルのうち、前記特定したユーザに関連付けて保存された設定ファイルのいずれかを選択するための画面を表示手段に表示する工程と、
を有することを特徴とする生体情報計測装置の制御方法。
【請求項１０】
ユーザ認証に用いるユーザ固有情報の入力手段を有し、患者の生体情報を計測する生体情報計測装置の制御方法であって、
前記ユーザ認証の結果に基づいてユーザの権限を確認する工程と、
前記ユーザが有する権限に応じた処理を実行するように前記生体情報計測装置を制御する制御工程と、を有し、
前記ユーザ固有情報が、ユーザ固有の生体情報、ユーザに関連付けて登録されたジェスチャもしくは特定の入力パターンのいずれかであることを特徴とする生体情報計測装置の制御方法。
【請求項１１】
生体情報計測装置が有するコンピュータを、請求項１から請求項８に記載の生体情報計測装置の制御手段として機能させるためのプログラム。
【発明の詳細な説明】
【技術分野】
【０００１】
本発明は生体情報計測装置およびその制御方法に関する。
【背景技術】
【０００２】
生体情報計測装置は、心電図、呼吸数、心拍数、血圧、体温、動脈血酸素飽和度（ＳｐＯ２)、呼気終末炭酸ガス濃度（ＥｔＣＯ２）などの生体情報の１つ以上を計測し、出力（表示、印刷など）する装置であり、医療現場で広く用いられている。例えば、血圧計、心電計、パルスオキシメータ、カプノメータなど、様々な生体情報計測装置が知られている。また、生体情報計測装置のうち、特に計測した生体情報の監視を主目的とした装置は、生体情報モニタもしくはモニタ装置とも呼ばれる（特許文献１）。
【０００３】
通常、生体情報計測装置は表示機能やアラーム機能を備えているが、表示する情報の種類や数、画面レイアウト、表示色や、アラームを発生させるための条件（アラーム設定）などを変更可能なカスタマイズ機能を有するものがある。
【０００４】
特に、計測する生体情報が複数である場合（心電図のように、１種類であっても計測チャンネル数が複数である場合を含む）、全ての生体情報を表示すると表示が煩雑になったり、表示サイズが小さくなったりして、視認性が低下する場合がある。そのため、カスタマイズ機能を利用して、一部の生体情報だけを常時表示させるようにしたり、他の生体情報よりも大きく表示させたりすることができる。また、生体情報の種類（あるいはチャンネル）に応じて表示色を変更することで、同時に表示される複数の生体情報のうち、所望の生体情報を直感的に確認することが可能になる。アラーム設定に関しても、装置の使用環境（例えば、救急搬送時なのか、病室なのか）に応じて変更することで、環境に応じた敏感度でアラームを発生されることが可能になる。
【先行技術文献】
【特許文献】
【０００５】
【特許文献１】特開２０１５−２９５６６号公報
【発明の概要】
【発明が解決しようとする課題】
【０００６】
このようなカスタマイズ機能はユーザの利便性を向上させることができる一方で、ユーザを混乱させる要因にもなり得る。例えば、ある医療機関に属する医師が定期的に別の医療機関で診療を行うような場合、個々の医療機関におけるカスタマイズ内容が異なると、判読の間違いやストレスの原因になり得る。出先の医療機関の装置の設定を自分が慣れている設定に合わせてカスタマイズすることは可能かもしれないが、手間や時間がかかる。
【０００７】
例えば、カスタマイズの内容を設定ファイルのようなデータ形式で保存したり呼び出して利用したりできるようにすることで、所望のカスタマイズ内容を容易に実現することが可能になる。しかし、カスタマイズ可能な項目が多くなると、用途に応じて細分化されたカスタマイズが行われるようになり、設定ファイルの数もまた増加する。ある装置を共用する医療従事者の各々が複数の設定ファイルを保存してゆくと、所望の設定ファイルを見つけることが困難になる。
【０００８】
本発明はこのような従来技術の課題に鑑みなされたものであり、設定内容を容易に変更可能な生体情報計測装置およびその制御方法を提供することを目的の１つとする。
【課題を解決するための手段】
【０００９】
上述の目的は、患者の生体情報を計測する生体情報計測装置であって、生体情報計測装置の設定内容を、設定ファイルとしてユーザに関連付けて保存する記憶手段と、設定ファイルを呼び出す指示があった場合、指示を行ったユーザをユーザ認証の結果に基づいて特定し、記憶手段に保存された設定ファイルのうち、特定したユーザに関連付けて保存された設定ファイルのいずれかを選択するための画面を表示手段に表示させる制御手段と、を有することを特徴とする生体情報計測装置によって達成される。
【発明の効果】
【００１０】
このような構成により、本発明によれば、設定内容を容易に変更可能な生体情報計測装置およびその制御方法を提供することができる。
【図面の簡単な説明】
【００１１】
【図１】本発明の実施形態に係る生体情報モニタの外観例を示す斜視図である。
【図２】実施形態に係る生体情報モニタの機能構成例を示すブロック図である。
【図３】実施形態に係る生体情報モニタの表示画面の例を示す図である。
【図４】実施形態に係る生体情報モニタの表示画面の例を示す図である。
【図５】実施形態に係る生体情報モニタの表示画面の例を示す図である。
【図６】実施形態に係る生体情報モニタの動作に係るフローチャートである。
【図７】実施形態に係る生体情報モニタの表示画面の例を示す図である。
【図８】実施形態の変形例に係る生体情報モニタの動作に係るフローチャートである。
【発明を実施するための形態】
【００１２】
以下、図面を参照して、本発明をその例示的な実施形態に基づいて詳細に説明する。以下では、本発明を生体情報計測装置の一例としての生体情報モニタに適用した実施形態について説明する。なお、本発明は、生体情報モニタのように多くの生体情報を並行して計測ならびに表示する生体情報計測装置において特に有用であるが、表示装置を備える任意の生体情報計測装置に適用可能である。
【００１３】
図１は、本発明の実施形態に係る生体情報モニタ１００の外観例を示す斜視図であり、  図２は生体情報モニタ１００の機能構成例を示すブロック図である。
生体情報モニタ１００は、各種のセンサや計測モジュールを接続可能な入力部１１０を有し、センサから逐次得られる生体情報データ（信号波形や計測値）を表示したり、異常を検出したりすることにより、患者の状態を常時監視するための装置である。生体情報モニタ１００は主に、手術中の患者やＩＣＵに入っている患者など、バイタルサインを常時監視する必要がある患者に用いられるため、心電図、呼吸数、心拍数、血圧（観血および非観血、体温、動脈血酸素飽和度（ＳｐＯ２）、呼気終末炭酸ガス濃度（ＥｔＣＯ２）など、複数の生体情報を計測する機能を有する。
【００１４】
入力部１１０は、各種のセンサや計測モジュールを機械的および電気的に接続するコネクタやインターフェースを備える。本実施形態では例示として以下のセンサおよび計測モジュールが接続されているものとする。なお、入力部１１０に接続される計測モジュールによっては、双方向の通信が可能である。
【００１５】
心電電極１１１は患者の四肢および／または胸部表面の所定部位に装着される複数の電極からなり、装着部位に応じた誘導波形を検出する。心電電極１１１の数や種類は計測する誘導波形の数や種類により異なる。また、心電電極間に高周波の微弱な電流を通電して胸郭のインピーダンスを計測し、その変化から胸郭の動きを検出するインピーダンス方式により呼吸数を算出することができる。血圧トランスデューサ１１２は患者の血管内に挿入されたカテーテルの端部に取り付けられ、血圧を電気信号に変換する。
【００１６】
脈波・ＳｐＯ２センサ１１３はいわゆるパルスオキシメータであり、動脈血酸素飽和度（ＳｐＯ２）及び指尖容積脈波を光学的に検出して入力する。酸素と結びついているかどうかによってヘモグロビンの光の吸収度が異なること、また光の波長によっても吸収度が異なることを利用し、一般には赤色光と赤外光の２波長を用いて動脈血酸素飽和度を計測する。また、透過光又は反射光のＡＣ成分が血液量に応じて変化することから、このＡＣ成分を光学指尖容積脈波（ＰＴＧ:photoplethysmograph）として検出する。
【００１７】
体温センサ１１４は例えば患者に装着されたサーミスタ温度センサであり、温度に応じた抵抗値を示す。心拍出量センサ１１５は患者の血管内に留置したサーミスタ温度センサであり、血液温度を計測する。血液温度の時間変化から熱希釈曲線を求め、注入液温度とStewart-Hamilton の公式を応用した式から心拍出量（ＣＯ）を得ることができる。また、心拍出量と血圧値とから、血管抵抗（ＳＶＲ）を求めることができる。なお、心拍出量はインピーダンス法によって非侵襲的に求めてもよい。呼吸ガスセンサ１１６は例えば赤外光吸光度に基づいて、呼気終末炭酸ガス濃度（ＥｔＣＯ２）を計測する。なお、図２に示した、入力部１１０に接続されるセンサおよびモジュールは単なる例示であって、他のものが含まれていてもよいし、図示したもののいくつかがなくてもよい。
【００１８】
非観血血圧計１１７はカフ、ポンプ、排気弁、圧力センサなどを有する。圧力センサの信号を取得することにより、オシロメトリック法によって非観血的に血圧を計測することができる。非観血血圧は連続的に計測できないため、予め定めた一定周期ごと、あるいは指示がある都度計測を実施する。非観血血圧計１１７の動作（ポンプおよび排気弁の動作）は入力部１１０を通じて制御部１４０が制御する。
【００１９】
前処理部１２０は、入力部１１０で受信した生体信号や計測値に対し、Ａ／Ｄ変換処理や電源ノイズ除去フィルタの適用など、信号に応じて予め定められた前処理を実行し、バッファメモリ１３０に保存する。前処理部１２０はＤＳＰやＡＳＩＣなどのハードウェアで構成してもよいし、制御部１４０によって少なくとも一部の機能をソフトウェアで実現してもよい。バッファメモリ１３０は信号の一時的な記憶や、制御部１４０のワークエリアやビデオメモリとして用いる。
【００２０】
制御部１４０は例えば中央処理装置（ＣＰＵ）などのプログラマブルプロセッサとＲＡＭ、ＲＯＭを有し、ＲＯＭに記憶されたプログラムをＲＡＭにロードしてＣＰＵで実行することにより、生体情報モニタ１００の動作を制御して全体的な機能を実現する。なお、ＲＯＭの少なくとも一部は書き換え可能であってよい。
【００２１】
外部インターフェース（Ｉ／Ｆ）１５０は通信インターフェースであり、装置の筐体に設けられたコネクタで直接、あるいはケーブル１９５を介して外部装置に接続される。また、外部Ｉ／Ｆ１５０は有線および／または無線ネットワークインタフェースを含んでもよく、ネットワーク上の外部装置、例えばセントラルモニタと通信可能であってよい。
【００２２】
アラームインジケータ１６０は制御部１４０により、機器の動作、生体情報データなどが予め定められた条件（アラーム設定）に規定された条件を満たすと判定された際に、例えば光や音によって警報を出力して報知するための１つ以上の出力デバイスである。アラームインジケータ１６０は、代表的には発光素子やスピーカであってよい。警報は重要度（レベル）によりレベル分けし、重要度に応じた警報を出力することができる。なお、警報はアラームインジケータ１６０だけでなく、タッチディスプレイ１７０に対するメッセージ表示などと組み合わせることもできる。制御部１４０は、例えば操作部１８０に対する所定の操作が検出されると警報の出力を停止する。
【００２３】
タッチディスプレイ１７０は、タッチパネルの機能を有する表示装置である。制御部１４０は計測された生体情報データ、例えば心電波形、心拍数、体温、血圧値、呼吸数、呼吸波形の１つ以上を予め定められた表示様式（レイアウト）によりリアルタイムでタッチディスプレイ１７０に表示させる。また、制御部１４０は、操作部１８０やタッチディスプレイ１７０を通じた指示に応答して、タッチディスプレイ１７０に表示する内容および／またはレイアウトを変更する。例えば、レイアウトと表示項目との組み合わせの初期設定が複数定義されており、ユーザは操作部１８０またはタッチディスプレイ１７０の操作を通じて画面のレイアウトを切り替えたり、表示中のレイアウトに関して表示項目を追加したり削除したりすることができる。
【００２４】
操作部１８０は電源スイッチやメニュー表示キーをはじめとしたキー、スイッチ群であり、ユーザが生体情報モニタ１００に指示や情報の入力を行うことを可能にする。なお、操作部１８０を構成するスイッチやキーの少なくとも一部は、タッチディスプレイ１７０に設けられたタッチパネルと、制御部１４０によるＧＵＩ表示とを組み合わせたソフトウェアキーとして実現されてもよい。また、操作部１８０は外付けのキーやスイッチ（リモコンなど）を含んでもよい。
【００２５】
本実施形態において操作部１８０は、生体認証情報入力部１８１を有することができる。生体認証情報入力部１８１は生体情報モニタ１００のユーザ認証（特定）に用いるユーザ固有情報として、ユーザの生体情報（例えば指紋、虹彩、声紋、静脈パターン、顔の画像など）を入力するための構成である。従って、生体認証情報入力部１８１は、入力する生体情報に応じたセンサ類（指紋センサなど）や入力デバイス（マイク、カメラなど）を有する。
【００２６】
記憶部１９０は計測データを保存したり、後述する登録ユーザ情報や設定ファイルを保存したりするための記憶装置である。記憶部１９０の少なくとも一部は、メモリカードのような着脱可能な記憶媒体を用いる構成であってよい。
【００２７】
なお、図示した構成以外にも、プリンタ（レコーダ）などを有してもよい。また、生体情報モニタ１００の電源は、電池、商用電源、あるいは外部Ｉ／Ｆ１５０に接続された外部装置のいずれによって供給されてもよい。外部Ｉ／Ｆ１５０を通じて電源を供給されている場合、生体情報モニタ１００は外部Ｉ／Ｆ１５０からの電源で動作し、また内蔵電池の充電を行う。
【００２８】
このような構成を有する生体情報モニタ１００では、例えば操作部１８０を通じて電源が投入されると、入力部１１０を通じて受信した生体信号や計測値に対する処理を開始する。具体的には、前処理部１２０が生体信号や計測値にＡ／Ｄ変換やフィルタ処理などを行って、生体情報データとしてバッファメモリ１３０に保存し始める。そして、制御部１４０は、バッファメモリ１３０に保存された生体情報データに基づく各種パラメータの算出処理、表示処理、評価処理、異常判定処理などを開始する。
【００２９】
また、制御部１４０は、バッファメモリ１３０から記憶部１９０に生体情報データを転送したり、予め設定されたイベントの発生時には、予め定められた情報（例えばイベント発生時における生体情報データなど）をイベントと関連付けて記憶部１９０に保存したりする。制御部１４０はさらに、操作部１８０やタッチディスプレイ１７０を通じたユーザ指示に応じて生体情報データを解析して所定の様式のレポートを生成し、タッチディスプレイ１７０への表示やレコーダによる印刷を行う。レポートには様々なものがあるが、生体信号の経時変化やイベントの発生などを把握するのに役立つリスト出力やトレンド出力はレポートの代表例である。
【００３０】
制御部１４０は、外部Ｉ／Ｆ１５０を監視し、外部Ｉ／Ｆ１５０に外部装置が接続されたことを検知すると、外部装置との通信を確立し、外部装置の情報（例えば装置の種類や機能に関する情報）を取得する。制御部１４０はまた、外部Ｉ／Ｆ１５０がネットワークに接続されている場合には、ネットワーク上の管理装置（例えばセントラルモニタ）との通信も確立する。制御部１４０は管理装置からの要求に応じて、外部Ｉ／Ｆ１５０を通じた生体情報データの出力を開始したり、後述するユーザ認証処理の実行を管理装置に要求したり、管理装置にユーザ情報の送信を要求したりすることができる。
【００３１】
（カスタマイズ機能）
本実施形態の生体情報モニタ１００は、様々な項目に関する設定値をユーザが変更することのできる機能（カスタマイズ機能）を有している。カスタマイズ機能は、例えば操作部１８０に含まれる特定のキー操作によって呼び出すことができ、制御部１４０は特定のキー操作が検出されると、各種項目の設定画面をタッチディスプレイ１７０に表示する。本実施形態の生体情報モニタは階層的なメニュー構成に合わせた階層的な画面構成を有している。各階層のメニュー画面には１つ以上のメニュー項目が含まれており、制御部１４０は、選択された項目に下位のメニュー項目があれば下位のメニュー画面を表示し、下位のメニュー項目がなければ選択された項目に応じた動作を実行する。
【００３２】
図３（ａ）は、最上位のメニュー画面３０１において項目「セットアップ」３０１１を選択する操作が行われ、「セットアップ」に関するメニュー項目を含んだメニュー画面３０２が表示された状態の画面表示例を示している。図３（ａ）の例では、最上位のメニュー画面３０１に含まれる項目のうち、「患者入退床」以外は、下位層のメニュー項目を含んでいる。下位層のメニュー項目を内包するメニュー項目については、それを示す指標（ここでは一例として右向きの三角形）が付与されている。
【００３３】
例えば、メニュー画面３０２の、項目「画面構成」（下位のメニュー項目を含まない）が選択されると、制御部１４０は画面構成に関する設定画面を表示する。ユーザは設定画面を通じて、画面構成に関する現在の設定を変更することができる。他の項目についても同様である。設定画面を閉じる操作が検出された際、制御部１４０は設定内容に変更があったかどうか判定し、変更があったと判定されなければ特になにもせずに設定画面を閉じる。一方、変更があったと判定された場合、制御部１４０はまず、変更内容を反映するかどうかを、画面を通じてユーザに問い合わせ、反映しないとの指示があれば特になにもせずに設定画面を閉じる。反映するとの指示があれば、制御部１４０は変更後の設定を現在の設定に反映するとともに、設定変更を反映した設定ファイルを保存するかどうかを画面を通じてユーザに問い合わせる。
【００３４】
ユーザから設定ファイルを保存しないとの指示があった場合、制御部１４０は特に何もしないが、設定ファイルを保存するとの指示があった場合には、設定ファイルの保存画面を表示する。設定ファイルの保存画面はファイル名を指定して保存することが可能な、一般的なＯＳで表示されるものと同様のものであって良い。ただし、保存先は特定のフォルダに限定してもよい。従ってユーザは、設定ファイルを既存の設定ファイルに上書き保存することも、別の設定ファイルとして保存することもできる。なお、制御部１４０は設定ファイルの保存指示が入力された場合、ユーザ認証処理を実行して、保存操作の実行を指示したユーザを特定してから、特定されたユーザの固有情報（例えばユーザＩＤ）と関連づけて設定ファイルを保存する。あるいは、生体情報モニタ１００にログイン中のユーザによる保存操作であると推定し、認証を要求せずに、ログイン中のユーザの固有情報と関連付けて設定ファイルを保存してもよい。
【００３５】
設定ファイルには、ユーザが設定可能な全ての項目に関する設定値を含めることができるが、例えば、患者の固有情報のような、装置の動作に直接関係しない項目に関しては除外するなど、ユーザが設定可能な項目の一部だけを含めるようにしてもよい。
【００３６】
本実施形態の生体情報モニタ１００では、項目「アラーム」の下位メニュー画面を通じて、計測値ごとのアラーム発生条件の設定を変更することができる。また、項目「パラメータ設定」の下位メニュー画面を通じて、心電図の誘導方法や心電図信号に適用するフィルタ設定など、計測に関する項目の設定を変更することができる。また、項目「機能」の下位メニュー画面を通じて、トレンド、リストなどの過去の計測データに関するレビュー機能に関する設定を変更することができる。また、項目「セットアップ」の下位メニュー画面を通じて、画面構成（計測中に画面表示する生体情報の種類やレイアウト）、色（表示色）、輝度、初期設定、音設定などの設定を変更することができる。なお、これらは単なる例示であって、設定可能な項目については特に制限されない。
【００３７】
（ユーザの登録および認証）
本実施形態の生体情報モニタ１００は、予め定められた機能の実行に関してユーザ認証（本人確認）を要求する。例えば、計測動作や計測結果の監視に影響する設定を変更する指示（項目「アラーム」や「パラメータ」の下位メニュー画面を通じた設定の変更操作）があった場合、あるいは変更するための設定画面の表示指示が行われた場合にユーザ認証を要求することができる。また、ユーザと関連づけて保存されているデータを利用する機能を実行する場合に、ユーザを特定するためにユーザ認証を要求することができる。実行に際してユーザ認証を要求する（必要とする）機能に特に制限は無い。
【００３８】
ユーザ認証は生体情報モニタ１００で行ってもよいが、外部装置に依頼することもできる。外部装置でユーザ認証を行う場合、生体情報モニタ１００はユーザが入力したユーザ認証用の固有情報を外部装置に送信し、認証結果を外部装置から受信する。認証方法に特に制限はなく、ユーザ識別情報（例えばユーザＩＤ、ユーザ名など）とパスワードとの組み合わせを用いたり、ユーザ固有の生体情報（例えば指紋、虹彩、声紋、静脈パターン、顔の画像など）を用いたり、特定の入力パターンを用いたりすることができる。ここで、特定の入力パターンとは、例えばタッチディスプレイ１７０のような接触感知デバイスに対するジェスチャ入力や、特定の順序で特定のキー（ソフトウェアキーを含む）を操作するといったものであってよいが、これらに限定されない。
【００３９】
認証用のユーザ固有情報は、生体情報モニタ１００もしくは生体情報モニタ１００が用いられる医療ネットワークシステムの管理装置（例えばセントラルモニタ）に対するユーザ登録処理においてユーザ情報の一部として登録することができる。なお、認証用のユーザ固有情報は、一人のユーザに対して複数種類登録することができる。ユーザ情報には認証用のユーザ固有情報のほか、氏名、所属、職種（医師、看護師、検査技師など）、連絡先（メールアドレスなど）が含まれてよい。また、ユーザのログインステータス（ログイン中かどうか、どの装置からログインしているかなどの管理情報もユーザごとに保持することができる。
【００４０】
ユーザ情報は例えば生体情報モニタ１００の記憶部１９０もしくは制御部１４０内部の不揮発性メモリに保存することができる。代わりに、あるいはさらに、ユーザ情報は生体情報モニタ１００が通信可能な医療ネットワークの管理装置の記憶装置に保存することができる。ユーザ情報は、生体情報モニタ１００か、生体情報モニタ１００が通信可能な医療ネットワークシステム上の装置の少なくとも一方がアクセス可能な任意の場所に保存することができる。ユーザ登録処理は生体情報モニタ１００もしくは医療ネットワーク上の任意の装置において、ユーザ登録画面などを通じた入力など、任意の公知の方法によって実行することができる。
【００４１】
なお、ユーザの固有情報として生体情報を保存する場合には保存する生体情報に応じた入力デバイス（例えば生体認証情報入力部１８１）を用いて生体情報をユーザから取得し、認証方法に適した形式で登録することができる。また、ユーザの固有情報としてジェスチャを登録する場合には、例えば図４（ａ）に示すような画面をタッチディスプレイに表示させ、指もしくはスタイラスによってタッチ入力される連続した軌跡をユーザに入力させることにより、ジェスチャを、始点（４０１）から終点（４０２）に至る、中間点を特定の順序で通過する軌跡として登録することができる。また、ユーザの固有情報として特定の入力パターンを登録する場合には、例えばタッチディスプレイ上に例えば異なる色や記号、絵、模様などが表示されたソフトウェアキーを複数表示し、ユーザが選択した色や記号などの順序を入力パターンとして登録することができる。ここで説明した登録方法は単なる例示であり、他の任意の方法を用いて生体情報、ジェスチャ、入力パターンなどをユーザ認証用の固有情報として登録することができる。
【００４２】
なお、生体情報モニタ１００もしくは生体情報モニタ１００が接続している医療ネットワークにログインする際のユーザ認証（最初のユーザ認証）と、ログイン中のユーザに対するさらなるユーザ認証（２度目以降のユーザ認証）とを別の方法で実施してもよい。例えば、最初のユーザ認証を２度目以降のユーザ認証よりも厳格に、あるいはなりすましがより困難な方法で実施することができる。あるいは、２度目以降のユーザ認証については最初のユーザ認証よりも入力項目の数が少ないなど、ユーザ固有情報の入力が容易な方法で実施することができる。
【００４３】
（権限に応じた制限の設定）
生体情報モニタ１００は、設定変更に関してユーザの権限に応じた制限を設けることができる。図３（ｂ）は、生体情報モニタ１００における設定に関する変更制限の設定画面の例を示しており、図３（ａ）の「セットアップ」の下位項目である「初期設定」の選択によって表示される。変更制限設定画面３１０は、図３（ａ）と同様、メニュー項目を階層表示し、各項目に関する変更制限の設定および解除を受け付ける。図３（ｂ）では、最上位のメニュー項目のうち「アラーム」が選択され、「アラーム」の下位項目が表示された状態を示している。各項目の左に隣接して設定／解除キー３１１，３１２が選択可能に表示されている。設定／解除キー３１１，３１２には南京錠を模したアイコンが表示されており、施錠状態のアイコンは制限が設定されていることを、解錠状態のアイコンは制限が設定されていないことを示している。
【００４４】
従って、図３（ｂ）に示す状態で、生体情報モニタ１００は、最上位のメニュー項目の選択に関しては制限がされていないが、アラーム設定はいずれの項目についても制限が設定されている。制限はユーザの権限に応じて、例えば管理者権限と非管理者権限とに応じて設定することができる。設定内容は制御部１４０内部の不揮発性メモリまたは記憶部１９０に保存することができる。なお、設定の変更には管理者権限が必要であり、設定／解除キーが選択された場合、制御部１４０はユーザ認証を要求し、管理者権限を有するユーザの操作であることが確認できた場合のみ設定を変更する。
【００４５】
なお、ユーザごとの権限はユーザ情報に含まれてもよいし、例えば医師や検査技師は管理者権限を有し、看護士は非管理者権限を有する（管理者権限を有さない）といったように、ユーザ情報に含まれる職種に応じて判定されてもよい。
【００４６】
ユーザ権限に応じた表示制御の例を図５に示す。図５（ａ）および（ｂ）は、生体情報モニタ１００のログインユーザが管理者権限を有する場合と有さない場合におけるメニュー表示例をそれぞれ示している。ログインユーザが管理者権限を有さない場合には、図５（ｂ）に示すように、制限が設定されている項目に施錠状態のアイコン５０１が付随して表示される。施錠状態のアイコン５０１が付随した項目が選択された場合、制御部１４０はユーザ認証を要求し、管理者権限を有するユーザであることが認証できた場合のみ設定画面を表示する。あるいは、ユーザが管理者権限を有さない場合には、制限が設定されている項目は表示しないように構成してもよい。
【００４７】
なお、例えばログインユーザが管理者権限を有する場合であっても、ログインユーザが設定操作を行うとは限らない。例えば手術室のように多数の医療関係者が存在する場所では、様々な権限のユーザが生体情報モニタ１００を操作しうる。このような環境では、ログインユーザが操作を行っていると仮定して動作すると、制限が十分に機能しないおそれがある。したがって、ログインユーザが管理者権限を有する場合であっても、予め定められた特定の機能の実行に際しては再度（２回目以降の）認証を要求してもよい。
【００４８】
（計測中の動作）
次に、図６に示すフローチャートを用いて、本実施形態における生体情報モニタ１００が生体情報の計測処理と並行して実施する処理について説明する。以下に説明する生体情報モニタ１００の動作は、制御部１４０が有する１つ以上のプログラマブルプロセッサによりプログラムを実行し、生体情報モニタ１００の各部の動作を制御することにより実現される。なお、処理の少なくとも一部が専用のハードウェアによって実現されてもよい。
【００４９】
本実施形態において、生体情報モニタ１００の制御部１４０は、生体情報の計測、保存、表示、監視処理などの通常計測処理を実行しながら、外部Ｉ／Ｆ１５０を監視している。そして、外部Ｉ／Ｆ１５０の特定の信号線の電位の変化などにより、外部装置が接続されたことが検出されると、制御部１４０は、通信を確立するための予め定められた手順を実行し、外部Ｉ／Ｆ１５０に接続された外部装置との間で通信を確立する。また、制御部１４０は、外部装置から、外部装置の情報（例えば装置の種類や機能に関する情報）を取得する。この情報に基づいて、制御部１４０は外部装置がネットワーク管理装置かどうかを知ることができる。以下の説明では、生体情報モニタ１００が、外部Ｉ／Ｆ１５０を通じて医療機器ネットワークに接続され、ネットワーク管理装置として機能するセントラルモニタとの通信が確立しているものとする。
【００５０】
また、制御部１４０は、タッチディスプレイ１７０または操作部１８０に対して何らかの入力（操作）が行われたかどうかについても監視している（Ｓ１０１）。そして、入力が行われたと判定されると、制御部１４０はＳ１０３およびＳ１１９で、入力が設定画面の呼び出し指示もしくは設定ファイルの呼び出し指示か、他の指示かを判定する。タッチディスプレイ１７０または操作部１８０に対する操作が、設定画面の呼び出し指示および設定ファイルの呼び出し指示のどちらでもなければ、制御部１４０は処理をＳ１３５に進める。Ｓ１３５で制御部１４０は、タッチディスプレイ１７０または操作部１８０に対する操作に応じた処理を実行し、処理をＳ１０１に戻す。
【００５１】
一方、Ｓ１０３で、タッチディスプレイ１７０または操作部１８０に対する操作が、設定画面の呼び出し指示であると判定された場合、制御部１４０は処理をＳ１０５に進め、認証入力を要求する。ここでの認証は、生体情報モニタ１００にユーザがログイン中であるか否かに応じて方法を変更することができる。
【００５２】
例えば、ユーザがログイン中でない（ログインユーザが存在する）場合、制御部１４０は例えば図５（ｃ）のようなログイン画面をタッチディスプレイ１７０に表示させ、ユーザにＩＤおよびパスワードの入力を要求する。例えばユーザＩＤフィールド４０３やパスワードフィールド４０５がタップされると、制御部１４０はタッチディスプレイ１７０にソフトウェアキーボードを表示させ、ユーザによるユーザＩＤやパスワードの入力を支援する。そして、ＯＫボタン４０７が操作されると、制御部１４０は入力されたユーザＩＤとパスワードを用いてユーザ認証処理を実行する。
【００５３】
また、ユーザがログイン中である（ログインユーザが存在する）場合、制御部１４０は例えば図５（ｂ）のようなジェスチャ入力画面をタッチディスプレイ１７０に表示させ、ユーザにジェスチャの入力を要求する。ジェスチャ入力画面に対するタッチ操作が検出されると、制御部１４０はタッチ操作が終了するまで、タッチ位置を周期的に検出して記録する。タッチ操作が終了すると、制御部１４０は記録したタッチ位置の情報（ジェスチャ情報）を用いてユーザ認証処理を実行する。なお、ジェスチャ入力画面において、認証方法変更キー４１１が操作されたことが検出された場合、制御部１４０は、他の認証方法で用いる固有情報の入力画面に切り替える。例えば図４（ｄ）は、指紋認証に変更する場合の画面表示例である。この場合制御部１４０は、生体認証情報入力部１８１が有する指紋センサから、指紋情報を取得する。なお、どの認証方法を利用可能とするかは予め設定しておくことができる。
【００５４】
ユーザ情報が生体情報モニタ１００に存在する場合、制御部１４０は入力された固有情報（ここではユーザＩＤとパスワードの組み合わせ、もしくはジェスチャ情報）に合致するユーザ情報が存在するかどうかを、制御部１４０内の不揮発性メモリまたは記憶部１９０を参照して判定する。そして、制御部１４０は認証が成功した場合にはユーザの権限を参照する。
【００５５】
ユーザ情報が生体情報モニタ１００に存在しない場合、制御部１４０は入力された固有情報とともに認証要求を、外部Ｉ／Ｆ１５０を通じてネットワーク上の管理装置に送信する。管理装置は、生体情報モニタ１００から受信した固有情報を用いて、自身の有する記憶部を参照して認証処理を実行する。なお、ネットワーク上に管理装置以外に認証処理を行う装置が存在する場合、生体情報モニタ１００もしくは管理装置は認証処理をその装置に依頼してもよい。制御部１４０は、ネットワーク上の装置に認証処理を依頼した場合、外部Ｉ／Ｆ１５０を通じて認証結果を受信する。認証結果には、認証の成功または不成功に加え、成功した場合にはユーザの権限に関する情報が含まれる。
【００５６】
Ｓ１０７で制御部１４０は、ユーザの認証に成功したか否かを判定し、成功したと判定されれば認証用の画面を消去して処理をＳ１０９に進め、成功したと判定されなければ、例えば認証に失敗した旨のメッセージを表示させた後、認証用の画面を消去して処理をＳ１０１に戻す。認証に失敗した場合、認証用の画面のキャンセルボタンが操作されるか、所定回数連続して認証に失敗するまで繰り返しＳ１０５を実行してもよい。
【００５７】
Ｓ１０９で制御部１４０はログインユーザの権限を確認し、Ｓ１１１でログインユーザの権限に応じた設定画面をタッチディスプレイ１７０に表示する。例えば制御部１４０は、管理者権限を有するユーザに対しては、アラーム設定の変更が可能な設定画面を表示し、管理者権限を有さないユーザに対しては、アラーム設定の変更ができない設定画面を表示することができる。
【００５８】
Ｓ１１３で制御部１４０は、設定画面に対するユーザ操作に応じた表示処理や設定変更処理を実行する。そして、制御部１４０は、設定完了の指示（例えば設定の保存指示）が検出されるとＳ１３３に、設定完了の指示が検出されなければＳ１１７に、それぞれ処理を進める。
【００５９】
Ｓ１１７で制御部１４０は、キャンセル指示（例えば設定を保存せずに設定画面を閉じる指示）が検出されるとＳ１０１に、キャンセル指示が検出されなければＳ１１３に、それぞれ処理を戻す。
【００６０】
Ｓ１３３で制御部１４０は、設定画面を通じて変更された設定を生体情報モニタ１００の現在の設定値に反映させて、処理をＳ１０１に戻す。
【００６１】
Ｓ１１９で、タッチディスプレイ１７０または操作部１８０に対する操作が、設定ファイルの呼び出し指示であると判定された場合、制御部１４０は処理をＳ１２１に進め、認証入力を要求する。Ｓ１２１における認証処理はＳ１０５と同様に、ログインユーザの有無に応じて認証方法を変更してもよいし、ログインユーザの有無とは無関係に認証方法を決定することもできる。設定ファイルの呼び出しは、設定画面の呼び出しよりも計測中に実行される頻度が高いと考えられること、また、例えば表示様式のような計測動作に影響しない設定のみに影響する場合も多いと考えられることから、認証用の固有情報の入力の容易性を重視した認証方法を用いることができる。
【００６２】
例えば、ユーザＩＤとパスワードのように、２つの項目のそれぞれをキーボード入力する方法に対し、生体情報、ジェスチャ入力、および特定のキー入力パターンは、入力項目の数が少ない。さらに、生体情報やジェスチャ入力は１回の操作で入力可能であるほか、顔認識であれば入力操作も実質的に不要である。
【００６３】
また、顔認識、ジェスチャ入力、特定のキー入力パターンは、手袋をした状態であっても入力が容易である。ジェスチャ入力の場合、キーを探したりする手間が省けるほか、誤ったキーを操作することがなく、画面上をなぞる操作で済むため好適である。また、ユーザの顔を良好に撮影可能な環境であれば、顔認証のようにユーザが固有情報を直接入力する必要の無い方法も好適であろう。
【００６４】
Ｓ１２３で制御部１４０は、ユーザの認証に成功したか否かを判定し、成功したと判定されれば認証用の画面を消去して処理をＳ１２５に進め、成功したと判定されなければ、例えば認証に失敗した旨のメッセージを表示させた後、認証用の画面を消去して処理をＳ１０１に戻す。認証に失敗した場合、認証用の画面のキャンセルボタンが操作されるか、所定回数連続して認証に失敗するまで繰り返しＳ１２１を実行してもよい。
【００６５】
Ｓ１２５で制御部１４０は、制御部１４０内の不揮発性メモリまたは記憶部１９０に保存されている設定ファイルのうち、認証されたユーザに関連付けて保存されている設定ファイルを抽出（探索）し、抽出した個々の探索ファイルの識別情報（例えばファイル名）を取得する。
【００６６】
Ｓ１２７で制御部１４０は、Ｓ１２５で取得した識別情報を用いて、設定ファイルの選択画面をタッチディスプレイ１７０に表示する。図７は設定ファイル選択画面の一例を示している。ここでは１画面あたり６つの設定ファイルを選択可能なファイル選択画面の例を示しているが、１画面あたりに表示する設定ファイルの数に特に制限は無い。
【００６７】
図７に示した例では、認証されたユーザに関連付けて保存された設定ファイルが３つ見つかった場合を示しており、設定ファイルを選択するためのボタン９０１〜９０６のうち、９０１〜９０３の３つに、設定ファイルの識別情報（ここでは拡張子を除くファイル名）を表示している。ユーザは所望の設定ファイルに対応するボタンを選択操作（例えばタップ）することにより、設定ファイルの選択を指示することができる。
【００６８】
Ｓ１２９で制御部１４０は、設定ファイルの選択指示が入力されたか否かを判定し、入力されたと判定されればＳ１３３へ、入力されたと判定されなければＳ１３１へ、それぞれ処理を進める。
【００６９】
Ｓ１３１で制御部１４０は、キャンセル指示（例えば一定時間選択入力がない場合や、操作部１８０からのキャンセル入力など）が検出されるとＳ１０１に、キャンセル指示が検出されなければＳ１２９に、それぞれ処理を戻す。
【００７０】
Ｓ１３３で制御部１４０は、選択された設定ファイルに従って生体情報モニタ１００の設定を変更し、処理をＳ１０１に戻す。
【００７１】
なお、Ｓ１３３で設定ファイルの内容を生体情報モニタ１００の設定に反映する際、例えばアラーム設定など予め定められた項目の設定が変更される場合には、制御部１４０は認証ユーザが管理者権限を有することが確認された場合のみ反映を実行することができる。また、設定ファイルの反映によって予め定められた項目の設定が変更される場合、制御部１４０は再度ユーザ認証を要求してもよい。
【００７２】
以上説明したように、本実施形態によれば、ユーザがカスタマイズした設定内容を再利用可能な設定ファイルとして保存可能な生体情報計測装置において、保存された設定ファイルの中から、認証されたユーザが保存した設定ファイルを自動的に抽出するようにした。そのため、多数のユーザが共用する生体情報計測装置において多数の設定ファイルが保存されていても、ユーザはそれを意識することなく、認証用の情報を入力するだけで、所望の設定ファイルを容易に見出すことができる。
【００７３】
例えばモニタ装置のように、常時監視を必要とする状態の患者の生体情報の計測中において、設定ファイルの呼び出しや変更のために計測中の生体情報の表示が隠されたり医療行為が中断されたりする時間は短い方が好ましい。一方で、設定ファイルの反映は生体情報の計測や監視動作に影響を与える設定変更を伴いうるため、権限のあるユーザだけが実行できるようにすることが好ましい。本実施形態ではユーザ固有の生体情報、ジェスチャ入力、特定の入力パターンなど、入力の手間が少なく、かつセキュリティが考慮された認証用の固有情報を用いてユーザ認証を行うことで、モニタ装置のような生体情報計測装置においても適切な設定ファイルの呼び出し、反映を実現することができる。
【００７４】
（変形例）
上述の実施形態では、設定画面の呼び出し指示がなされた場合、まずユーザ認証を行い、ユーザの権限に応じた設定画面を表示する構成であった。しかし、設定画面の呼び出し指示がなされた場合に制限を有する設定画面を表示し、制限が設定された項目の操作がなされた時点でユーザ認証を行ってユーザの権限を確認するように構成してもよい。
【００７５】
この場合の生体情報モニタ１００の計測中動作について、図８に示すフローチャートを用いて説明する。図８において、図６と同様の動作を行う工程には同じ参照数字を付し、重複する説明は省略する。
【００７６】
Ｓ１０３で、タッチディスプレイ１７０または操作部１８０に対する操作が、設定画面の呼び出し指示であると判定された場合、制御部１４０は処理をＳ１４１に進め、設定画面を表示する。ここで表示する設定画面は、制限が設定された項目を有し、例えば非管理者向けの設定画面と同じであってよい。
【００７７】
Ｓ１４３で制御部１４０は、表示中の設定画面において、制限が設定された項目を選択する操作が行われたか否かを判定し、行われたと判定されればＳ１４５へ、行われたと判定されなければＳ１１５へ、それぞれ処理を進める。
【００７８】
Ｓ１４５で制御部１４０は、選択項目に制限が設定されているかどうかを判定し、制限が設定されていると判定されればＳ１０５へ、制限が設定されていると判定されなければＳ１１３へ、それぞれ処理を進める。
【００７９】
Ｓ１０５およびＳ１０７で制御部１４０は上述の実施形態と同様に認証処理を行い、Ｓ４７で認証ユーザの権限を判定する。制御部１４０は、認証ユーザが制限項目の設定を行う権限を有すると判定されればＳ１１３へ、権限を有すると判定されなければＳ１１５へ、それぞれ処理を進める。
Ｓ１１３以降の処理は上述の実施形態と同様のため説明を省略する。
【００８０】
本変形例によっても、上述の実施形態と同様の効果が得られる。また、権限の確認を必要としない設定項目に関しては認証処理を必要としないため、ユーザの手間を省くことができる。なお、図８のフローチャートでは、制限が設定された項目が選択されるごとに認証処理を実行するように記載しているが、２度目以降については認証処理を省略したり、権限があることが確認されてから一定時間内については認証処理を省略したりすることができる。
【００８１】
（他の実施形態）
上述の実施形態においては、表示装置としてタッチディスプレイを用いる構成について説明した。そのため、表示画面に含まれるボタンやキーなどのＧＵＩ（グラフィカルユーザーインターフェース）のタッチ操作が可能であった。表示装置がタッチパネル機能を有さない場合には、表示画面に含まれるＧＵＩを、操作部を構成するハードウェアスイッチやボタンに割り当てることによって同様の機能を実現できる。
【００８２】
本発明は、上述の実施形態に係る処理を、生体情報計測装置が有する１つ以上のプロセッサによって実施させるプログラムとしても実現可能である。従って、このようなプログラムや、プログラムを記録したコンピュータ可読記録媒体もまた本発明を構成する。また、上述の実施形態に係る処理を、ハードウェア（例えばＡＳＩＣやプログラマブルロジックなど）を用いて実施することもできる。
【符号の説明】
【００８３】
１００…生体情報モニタ、１１０…入力部、１２０…前処理部、１３０…バッファメモリ、１４０…制御部、１５０…外部Ｉ／Ｆ、１７０…タッチディスプレイ、１８０…操作部
【図１】
2017170009.tif 000003
【図２】
2017170009.tif 000004
【図３】
2017170009.tif 000005
【図４】
2017170009.tif 000006
【図５】
2017170009.tif 000007
【図６】
2017170009.tif 000008
【図７】
2017170009.tif 000009
【図８】
2017170009.tif 000010